(57)【要約】【課題】複写ミスを減らすことが可能な複写機を提供する。【解決手段】原稿が載置される原稿台１１０を有する複写機本体１００と、原稿台１１０に対して開閉自在に構成された原稿台カバー１２０と、複写機本体１００の上面の一端に配設され、原稿台カバー１２０を開閉するための開閉機構１４０と、原稿台１１０に載置された原稿を読み取る画像読取装置２７０と、複写機本体１００の上面から原稿台カバー１２０における原稿台１１０に対向する面に向けて、原稿台１１０に載置された原稿の画像情報と複写されることとなる領域を表す複写ガイド枠とを画像光として投写する投写光学ユニット１７０と、少なくとも画像読取装置２７０及び投写光学ユニット１７０を制御する制御部２００とを備える複写機１。制御部２００は、原稿台カバー１２０を開いたときに、投写光学ユニット１７０から画像光が投写されるように投写光学ユニット１７０を制御する機能を有する。【選択図】図２
2009169047.tif 000002
【特許請求の範囲】
【請求項１】
原稿が載置される原稿台を有する複写機本体と、
前記原稿台に対して開閉自在に構成された原稿台カバーと、
前記複写機本体の上面の一端に配設され、前記原稿台カバーを開閉するための開閉機構と、
前記原稿台に載置された原稿を読み取る画像読取装置と、
前記複写機本体の上面から前記原稿台カバーにおける前記原稿台に対向する面に向けて、前記原稿台に載置された原稿の画像情報と複写されることとなる領域を表す複写ガイド枠とを画像光として投写する投写光学ユニットと、
少なくとも前記画像読取装置及び前記投写光学ユニットを制御する制御部とを備え、
前記制御部は、前記原稿台カバーを開いたときに、前記投写光学ユニットから前記画像光が投写されるように前記投写光学ユニットを制御する機能を有することを特徴とする複写機。
【請求項２】
請求項１に記載の複写機において、
前記投写光学ユニットは、近接投写型の投写光学ユニットであることを特徴とする複写機。
【請求項３】
請求項１又は２に記載の複写機において、
前記投写光学ユニットからの前記画像光は、前記複写機本体の上面における前記原稿台と前記開閉機構との間の位置から投写されることを特徴とする複写機。
【請求項４】
請求項１〜３のいずれかに記載の複写機において、
前記原稿台カバーにおける前記原稿台に対向する面には、前記投写光学ユニットからの前記画像光を複写機の使用者方向に向けて反射する反射面が配設されていることを特徴とする複写機。
【請求項５】
請求項１〜４のいずれかに記載の複写機において、
前記画像読取装置は、前記原稿台に載置された原稿をプレスキャンする機能を有し、
前記投写光学ユニットから投写される画像光における前記原稿の画像情報は、前記画像読取装置によってプレスキャンされた画像であることを特徴とする複写機。
【請求項６】
請求項１〜４のいずれかに記載の複写機において、
前記原稿台の下側に配設され、前記原稿台に載置された原稿を撮影する撮像装置をさらに備え、
前記投写光学ユニットから投写される画像光における前記原稿の画像情報は、前記撮像装置によって撮影された画像であることを特徴とする複写機。
【請求項７】
請求項１〜６のいずれかに記載の複写機において、
前記原稿台カバーの開閉を検知する検知部をさらに備え、
前記制御部は、前記原稿台カバーが開いたことを前記検知部が検知したときにのみ、前記投写光学ユニットから前記画像光が投写されるように前記投写光学ユニットを制御する機能を有することを特徴とする複写機。
【請求項８】
請求項１〜７のいずれかに記載の複写機において、
前記複写ガイド枠の位置、大きさ及び形状のうち少なくとも１つを変更する機能を備えた操作ボタンを有する操作パネルと、
前記操作ボタンによる複写ガイド枠の変更情報に基づいて、前記投写光学ユニットから投写される画像光における前記複写ガイド枠の位置、大きさ及び形状のうち少なくとも１つを変更する複写ガイド枠処理部とをさらに備えることを特徴とする複写機。
【発明の詳細な説明】
【技術分野】
【０００１】
本発明は、複写機に関する。
【背景技術】
【０００２】
従来、原稿が載置される原稿台を有する複写機本体と、原稿台に対して開閉自在に構成された原稿台カバーと、原稿台に載置された原稿を読み取る画像読取装置とを備える複写機が知られている（例えば、特許文献１参照。）。従来の複写機では、原稿台に原稿をセットしてから原稿台カバーを閉めて、複写用紙の向き及びサイズ並びに複写枚数等を操作パネルで設定した後、複写スタートボタンを押すことにより、原稿を複写している。
【０００３】
【特許文献１】特開２００６−３３６７５号公報
【発明の開示】
【発明が解決しようとする課題】
【０００４】
ところで、従来の複写機においては、原稿台に載置する原稿の向き及びサイズに対して複写用紙の向き及びサイズの設定を誤ったり、原稿台の正しい位置に原稿を載置していなかったりすると、原稿中の意図する部分が複写されなかったり、想定するサイズを超える用紙サイズで複写されてしまったりする（以下、これらを複写ミスと省略する。）という問題がある。
【０００５】
そこで、本発明は、このような問題を解決するためになされたもので、複写ミスを減らすことが可能な複写機を提供することを目的とする。
【課題を解決するための手段】
【０００６】
本発明の複写機は、原稿が載置される原稿台を有する複写機本体と、前記原稿台に対して開閉自在に構成された原稿台カバーと、前記複写機本体の上面の一端に配設され、前記原稿台カバーを開閉するための開閉機構と、前記原稿台に載置された原稿を読み取る画像読取装置と、前記複写機本体の上面から前記原稿台カバーにおける前記原稿台に対向する面に向けて、前記原稿台に載置された原稿の画像情報と複写されることとなる領域を表す複写ガイド枠とを画像光として投写する投写光学ユニットと、少なくとも前記画像読取装置及び前記投写光学ユニットを制御する制御部とを備え、前記制御部は、前記原稿台カバーを開いたときに、前記投写光学ユニットから前記画像光が投写されるように前記投写光学ユニットを制御する機能を有することを特徴とする。
【０００７】
このため、本発明の複写機によれば、原稿台カバーを開いたときの原稿台カバーにおける原稿台に対向する面（以下、原稿台カバーの裏面ということもある。）に、原稿台に載置された原稿の画像情報と複写されることとなる領域を表す複写ガイド枠とが投写されるため、複写前にこれら投写画像を一旦確認することが可能となる。その結果、原稿台に載置する原稿の向き及びサイズに対する複写用紙の向き及びサイズの設定ミスをほぼ無くすることができ、これに起因する複写ミスを減らすことが可能となる。また、原稿台の正しい位置に原稿を載置していなかった場合であっても、原稿台カバーの裏面に投写される投写画像を確認することによって、複写前に原稿の位置を修正することができるため、原稿の配置位置に起因する複写ミスを減らすことが可能となる。
したがって、本発明の複写機は、複写ミスを減らすことが可能な複写機となる。
【０００８】
ところで、単に複写ミスを軽減することだけを考えれば、例えば、操作パネルとして液晶ディスプレイを有する操作パネルを用いるとともに、複写前に原稿台に載置された原稿をプレスキャンして、当該プレスキャンした画像を操作パネルの液晶ディスプレイに表示するという手段も考えられなくはないが、この場合、操作パネルに設けられる液晶ディスプレイは比較的小さい（数センチ四方。）ため、原稿を確認するのに画面が見にくいという不具合がある。なお、画面の見にくさを解消するために液晶ディスプレイを大きくすることも考えられるが、操作パネルの大型化、ひいては複写機の大型化を招くという不具合もある。また、大型の液晶ディスプレイは高価であるため、複写機のコストが高くなるという不具合もある。
【０００９】
これに対し、本発明の複写機によれば、例えば原稿台カバーの裏面全体を投写光学ユニットの投写領域とすることによって、実際の原稿の大きさと同程度の大きさの画像でもって原稿を確認することができるため、投写画像が見にくくなることもない。また、原稿台カバーを開いたときに現れる原稿台カバーの裏面を投写面として用いていることから、操作パネルが大型化してしまうこともないし複写機が大型化してしまうこともない。また、本発明の複写機においては、高解像度のカラー画像が投写される投写光学ユニットを用いてもよいのは当然であるが、投写光学ユニットとして、最低限原稿を確認できる程度の画像が投写されるものであればよいことから、モノクロ画像が投写される投写光学ユニットを用いることもできるし、比較的低解像度（例えばＶＧＡ程度。）のカラー画像が投写される投写光学ユニットを用いることもできる。つまり、本発明の複写機によれば、大型の液晶ディスプレイを用いる場合に比べて、複写機のコストアップを極力抑制することが可能となる。
【００１０】
本発明の複写機においては、前記投写光学ユニットは、近接投写型の投写光学ユニットであることが好ましい。
【００１１】
近接投写型の投写光学ユニットとは、短い投写距離で大画面表示が可能な投写光学ユニットであって、超短焦点光学系を備える投写光学ユニットのことである。本発明の複写機によれば、近接投写型の投写光学ユニットを備えているため、投写光学ユニットから比較的近距離にある原稿台カバーの裏面に対しても歪みの少ない画像を形成することが可能となる。
【００１２】
本発明の複写機においては、前記投写光学ユニットからの前記画像光は、前記複写機本体の上面における前記原稿台と前記開閉機構との間の位置から投写されることが好ましい。
【００１３】
複写機を使用する者（以下、使用者という。）は、通常、原稿台を間にして開閉機構とは反対側の位置に立って、原稿台に載置された原稿の位置調整を行ったり操作パネルの設定作業を行ったりするが、上記のように構成することにより、それらの作業を行う際に使用者の身体が投写光学ユニットの画像光を遮ってしまうのを抑制することが可能となる。
【００１４】
本発明の複写機においては、前記原稿台カバーにおける前記原稿台に対向する面には、前記投写光学ユニットからの前記画像光を複写機の使用者方向に向けて反射する反射面が配設されていることが好ましい。
【００１５】
原稿台カバーの裏面は一般に白色の素材でできていることから、上記の反射面を備えていない複写機であっても投写光学ユニットからの画像光を難なく投写表示可能であることは言うまでもないが、上記の反射面を備えることにより、輝度が高くて鮮明な画像を投写表示することが可能となる。
【００１６】
本発明の複写機においては、前記画像読取装置は、前記原稿台に載置された原稿をプレスキャンする機能を有し、前記投写光学ユニットから投写される画像光における前記原稿の画像情報は、前記画像読取装置によってプレスキャンされた画像であることが好ましい。
【００１７】
このように構成することにより、原稿台に載置された原稿の向きやサイズ、原稿の配置位置などを確実に確認することが可能となる。
【００１８】
本発明の複写機においては、前記原稿台の下側に配設され、前記原稿台に載置された原稿を撮影する撮像装置をさらに備え、前記投写光学ユニットから投写される画像光における前記原稿の画像情報は、前記撮像装置によって撮影された画像であることが好ましい。
【００１９】
このように構成することによっても、原稿台に載置された原稿の向きやサイズ、原稿の配置位置などを確実に確認することが可能となる。また、上述のプレスキャンされた画像を用いる場合に比べて、原稿を確認するのに要する時間を短くすることが可能となるとともに、リアルタイムに原稿の位置調整等を行うことが可能となる。
【００２０】
本発明の複写機においては、前記原稿台カバーの開閉を検知する検知部をさらに備え、前記制御部は、前記原稿台カバーが開いたことを前記検知部が検知したときにのみ、前記投写光学ユニットから前記画像光が投写されるように前記投写光学ユニットを制御する機能を有することが好ましい。
【００２１】
このように構成することにより、原稿台カバーが開いたときにのみ、原稿台カバーの裏面に画像光が投写される構成を実現することが可能となる。
【００２２】
本発明の複写機においては、前記複写ガイド枠の位置、大きさ及び形状のうち少なくとも１つを変更する機能を備えた操作ボタンを有する操作パネルと、前記操作ボタンによる複写ガイド枠の変更情報に基づいて、前記投写光学ユニットから投写される画像光における前記複写ガイド枠の位置、大きさ及び形状のうち少なくとも１つを変更する複写ガイド枠処理部とをさらに備えることが好ましい。
【００２３】
本発明の複写機において、原稿台カバーの裏面に投写される画像のうち実際に複写したい領域と複写ガイド枠とが合っていない場合、原稿台に載置された原稿の配置位置を再調整して両者を合わせることも可能であるが、上記のように構成することにより、わざわざ原稿の配置位置を再調整しなくても、ソフト的な操作によって原稿中の実際に複写したい領域と複写ガイド枠とを合わせることが可能となる。
【発明を実施するための最良の形態】
【００２４】
以下、本発明の複写機について、図に示す実施の形態に基づいて説明する。
【００２５】
［実施形態１］
図１は、実施形態１に係る複写機１の全体斜視図である。図１（ａ）は原稿台カバー１２０を開いたときの複写機１の全体斜視図であり、図１（ｂ）は原稿台カバー１２０を閉じたときの複写機１の全体斜視図である。図２は、投写光学ユニット１７０から画像光が投写される様子を示す斜視図である。図３及び図４は、複写機１の構成を説明するために示す図である。図５は、実施形態１に係る複写機１を説明するために示す図である。図５（ａ）〜図５（ｃ）は原稿台カバー１２０の裏面に投写される画像光を示す図であって、図５（ａ）は複写ガイド枠２０の位置を変更したときの様子を示す図であり、図５（ｂ）は複写ガイド枠２０の大きさを変更したときの様子を示す図であり、図５（ｃ）は複写ガイド枠２０の形状を変更したときの様子を示す図である。
【００２６】
実施形態１に係る複写機１は、図１〜図３に示すように、複写機能（コピー機能）とファクシミリ機能とを併有する複合機としての複写機であって、原稿（本）１０が載置される原稿台（プラテンガラスとも呼ばれる。）１１０を有する複写機本体１００と、原稿台１１０に対して開閉自在に構成された原稿台カバー（プラテンカバーとも呼ばれる。）１２０と、複写機本体１００の上面の一端に配設され、原稿台カバー１２０を開閉するための開閉機構１４０と、原稿台カバー１２０の開閉を検知する検知部１５０と、操作パネル１６０と、投写光学ユニット１７０と、原稿台１１０に載置された原稿１０を撮影する撮像装置１８０と、制御部２００と、ＮＣＵ（網制御回路：Network Control Unit）２１０と、ＭＯＤＥＭ２２０と、ＲＯＭ２３０と、ＲＡＭ２４０と、画像メモリ２５０と、ＣＯＤＥＣ（符号化・復号器：Coder and Decoder）２６０と、原稿台１１０に載置された原稿を読み取る画像読取装置２７０と、複写ガイド枠処理部２８０と、プリンタ２９０とを備え、これら各部がバスＢを介して接続されている。
【００２７】
原稿台カバー１２０には、ＡＤＦ（自動原稿給紙装置：Automatic Document Feeder）１３０が設けられている。原稿台カバー１２０における原稿台１１０に対向する面（原稿台カバー１２０の裏面）には、ＡＤＦ１３０の原稿供給口１３２に供給された原稿を送るための原稿送り部材１３４が設けられている。原稿送り部材１３４は、図示による説明は省略するが、複数のローラと、これらローラに張架されるベルト部材とを有する。当該ベルト部材は、白色素材からなるため、後述する投写光学ユニット１７０からの画像光を投影することが可能である。原稿送り部材１３４によって送られた原稿は、原稿排出口１３６から原稿受け１３８に排紙される。
【００２８】
開閉機構１４０は、例えばヒンジ機構からなり、複写機本体１の上面奥側に配設されている。
【００２９】
検知部１５０は、原稿台カバー１２０の上面に配設された突起部１５２を有する。突起部１５２は、原稿台カバー１２０を開いたときには複写機本体１００の上面から突出した状態となり、原稿台カバー１２０を閉じたときには、原稿台カバー１２０に押されて複写機本体１００の上面よりも引っ込んだ状態となる。検知部１５０は、突起部１５２の突出状態の変化に基づいて原稿台カバー１２０の開閉を検知し、原稿台カバー１２０の開閉状態に関する情報を出力する。
【００３０】
操作パネル１６０は、複写機本体１の手前側に配設されており、スタートボタン、ストップボタン、クリアボタン、コピー／ＦＡＸモード切替ボタン、テンキー、十字方向操作ボタン等の操作ボタン（操作キー）１６２と、複写機１の動作状態等の各種情報（文字メッセージ）を表示する表示部１６４とを有する。なお、操作ボタン１６２は、複写ガイド枠２０の位置、大きさ又は形状を変更するための操作ボタンや、撮像装置１８０による原稿１０の撮影を開始する撮影開始ボタンも備えている。表示部１６４は、例えば液晶ディスプレイで構成されている。なお、表示部１６４をタッチパネルディスプレイとして、上記した各種操作ボタンによる操作を表示部１６４上で行うこととしてもよい。
【００３１】
投写光学ユニット１７０は、ここでは図示による説明は省略するが、光源ランプを有する照明装置と、照明装置からの光を画像情報に応じて変調する電気光学変調装置と、電気光学変調装置によって変調された光を投写する投写光学系とを備え、比較的低解像度（例えばＶＧＡ程度。）のカラー画像が投写される投写光学ユニットである。投写光学ユニット１７０及び反射ミラー１７２は、図２又は図４に示すように、原稿台１１０の奥側（原稿台１１０と開閉機構１４０との間のスペース）における複写機本体１００内部に配設されている。投写光学ユニット１７０からの投写画像は、反射ミラー１７２で反射され、原稿台カバー１２０の裏面に投写されることとなる。当該投写画像は、原稿台１１０に載置された原稿１０の画像情報と複写されることとなる領域を表す複写ガイド枠２０とからなる。
なお、複写ガイド枠２０の近傍には、出力用紙に関する情報も併せて投写されている（図５（ｂ）参照。）。例えば、複写ガイド枠２０のサイズがＡ４縦サイズであれば、複写ガイド枠２０の近傍に「Ａ４タテ」という文字が表示され、複写ガイド枠２０のサイズがＡ３サイズであれば、複写ガイド枠２０の近傍に「Ａ３」という文字が表示される。
【００３２】
光源ランプとしては、例えば、メタルハライドランプ、高圧水銀ランプ、超高圧水銀ランプ等を用いることができる。なお、光源ランプに代えて、ＬＥＤなどの固体光源を用いてもよい。
【００３３】
電気光学変調装置としては、照明装置からの光を画像情報に応じて液晶及び偏光板によって光変調することにより、画像を表す画像光を投写光学系へと射出する機能を有する液晶装置や、照明装置からの光を画像情報に応じて各画素に対応するマイクロミラーで反射することにより、画像を表す画像光を投写光学系へと射出する機能を有する反射方向制御型光変調装置（例えば、ＤＭＤ（デジタルマイクロミラーデバイス）（ＴＩ社の商標））を用いることができる。
【００３４】
また、投写光学ユニット１７０は、超短焦点光学系を備える近接投写型の投写光学ユニットであるため、短い投写距離で大画面表示を可能としている。投写光学ユニット１７０は、原稿台カバー１２０の裏面の大部分に係る領域を投写領域としており、投写される投写画像については、台形歪み補正等の画像処理がなされている。
【００３５】
撮像装置１８０は、例えばＣＣＤカメラからなり、原稿台１１０の下側に配設されている（図４参照。）。
【００３６】
制御部２００は、図３に示すように、複写機１を構成する各部を統括制御する制御手段である。
【００３７】
ＮＣＵ２１０は、通信回線である公衆電話回線網（ＰＳＴＮ）Ｌとの接続を制御するとともに、相手先の電話番号（ＦＡＸ番号を含む。）に対応したダイアル信号の送出及び着信を検出する機能を有する。
【００３８】
ＭＯＤＥＭ２２０は、ＩＴＵ（国際電気通信連合）勧告に従ったファクシミリ伝送制御手順（ファクシミリ通信手順）に基づいて、送信データの変調及び受信データの復調を行う。また、ＭＯＤＥＭ２２０は、ＮＣＵ２１０を介して公衆電話回線網Ｌに送出するために、デジタル信号である送信データをアナログの音声信号に変調する機能や、公衆電話回線網ＬからＮＣＵ２１０を介して受信したアナログの音声信号をデジタル信号に復調する機能を有する。
【００３９】
ＲＯＭ２３０は、複写機１全体の動作を制御するためのプログラム等を記憶する。ＲＡＭ２４０は、制御部２００による制御に必要なデータ及び制御動作時に一時記憶が必要なデータ等を記憶する。画像メモリ２５０は、画像読取装置２７０で読み取った原稿の画像情報（画像データ）を符号化し、圧縮状態で記憶する。
【００４０】
ＣＯＤＥＣ２６０は、読み取った原稿の画像情報（画像データ）を送信又は記憶するために、ＭＨ、ＭＲ、ＭＭＲ方式等により符号化（エンコード）する。また、ＣＯＤＥＣ２６０は、圧縮符号化された状態で受信した原稿の画像情報を、プリンタ２８０により記録するために復号（デコード）する。
【００４１】
画像読取装置２７０は、原稿台１１０に載置された原稿１０に対して光を照射する光源２７２と、原稿１０からの反射光を受光するＣＣＤ（電荷結合素子）等のイメージセンサ２７４と、イメージセンサ２７４で読み取られた原稿の画像情報をデジタル信号に変換して出力する画像処理部２７６とを有する。
【００４２】
複写ガイド枠処理部２８０は、複写されることとなる領域を表す複写ガイド枠２０に関する情報を記憶しており、投写光学ユニット１７０から原稿１０の画像情報が投写されるのに併せて複写ガイド枠２０も投写されるように、複写ガイド枠２０に関する情報を出力する。また、複写ガイド枠処理部２８０は、操作ボタン１６２によって複写ガイド枠２０の位置、大きさ又は形状が変更されたときには、操作ボタン１６２による複写ガイド枠２０の変更情報に基づいて、投写光学ユニット１７０から投写される画像光における複写ガイド枠２０の位置、大きさ又は形状を変更し、変更後の複写ガイド枠２０に関する情報を出力する。
【００４３】
プリンタ２９０は、例えば電子写真方式のプリンタであり、画像読取装置２７０によって読み取られた原稿１０の画像や、ＭＯＤＥＭ２２０を介して受信した画像を、記録紙上に記録（印刷）する。
【００４４】
このように構成された複写機１によって原稿１０を複写するにあたり、複写機１の使用者は、まず原稿台カバー１２０を開き、原稿台１１０に原稿１０を載置（セット）して、操作パネル１６０の撮影開始ボタンを押す。これにより、原稿台１１０に載置された原稿１０が撮像装置１８０によって撮影される。撮像装置１８０によって撮影された画像は、原稿１０の画像情報として、複写ガイド枠２０とともに原稿台カバー１２０の裏面に投写される。
【００４５】
使用者は、原稿台カバー１２０の裏面に投写された投写画像を見て、原稿中の実際に複写したい領域と複写ガイド枠２０との位置関係並びに複写ガイド枠２０の大きさ（複写サイズ）及び形状が合っているかどうか確認する。実際に複写したい領域と複写ガイド枠２０とが合っている場合には、操作パネル１６０のスタートボタンを押すことにより、画像読取装置２７０による原稿１０の読み取り動作が始まり、複写ガイド枠２０内の原稿１０の画像情報が所定の用紙サイズで印刷される。
【００４６】
一方、実際に複写したい領域と複写ガイド枠２０とが合っていない場合には、操作パネル１６０の操作ボタン１６２で複写ガイド枠２０の位置を変更したり（図５（ａ）参照。）、複写ガイド枠２０の大きさを変更したり（図５（ｂ）参照。）、複写ガイド枠２０の形状を変更したり（図５（ｃ）参照。）する。このとき、複写ガイド枠２０ではなく、原稿台１１０に載置された原稿１０の位置を再調整してもよい。このような調整を行って実際に複写したい領域と複写ガイド枠２０とを合わせたら、操作パネル１６０のスタートボタンを押すことにより、画像読取装置２７０による原稿１０の読み取り動作が始まり、複写ガイド枠２０内の原稿１０の画像情報が所定の用紙サイズで印刷される。
【００４７】
以上のように構成された実施形態１に係る複写機１によれば、原稿台カバー１２０を開いたときの原稿台カバー１２０の裏面に、原稿台１１０に載置された原稿１０の画像情報と複写されることとなる領域を表す複写ガイド枠２０とが投写されるため、複写前にこれら投写画像を一旦確認することが可能となる。その結果、原稿台１１０に載置する原稿１０の向き及びサイズに対する複写用紙の向き及びサイズの設定ミスをほぼ無くすることができ、これに起因する複写ミスを減らすことが可能となる。また、原稿台１１０の正しい位置に原稿１０を載置していなかった場合であっても、原稿台カバー１２０の裏面に投写される投写画像を確認することによって、複写前に原稿１０の位置を修正することができるため、原稿１０の配置位置に起因する複写ミスを減らすことが可能となる。
したがって、実施形態１に係る複写機１は、複写ミスを減らすことが可能な複写機となる。
【００４８】
また、実施形態１に係る複写機１によれば、原稿台カバー１２０の裏面全体を投写光学ユニット１７０の投写領域としているため、実際の原稿の大きさと同程度の大きさの画像でもって原稿を確認することができる。このため、投写画像が見にくくなることもない。また、原稿台カバー１２０を開いたときに現れる原稿台カバー１２０の裏面を投写面として用いていることから、操作パネル１６０が大型化してしまうこともないし複写機１が大型化してしまうこともない。また、実施形態１に係る複写機１によれば、比較的低解像度（例えばＶＧＡ程度。）のカラー画像が投写される投写光学ユニットを用いているため、複写機のコストアップを極力抑制することが可能となる。
【００４９】
実施形態１に係る複写機１においては、投写光学ユニット１７０は、近接投写型の投写光学ユニットであるため、投写光学ユニット１７０から比較的近距離にある原稿台カバー１２０の裏面に対しても歪みの少ない画像を形成することが可能となる。
【００５０】
実施形態１に係る複写機１においては、投写光学ユニット１７０からの画像光は、複写機本体１００の上面における原稿台１１０と開閉機構１４０との間の位置から投写されるため、操作パネル１６０の手前側に立って作業を行う使用者の身体（手など）によって投写光学ユニット１７０の画像光が遮られるのを抑制することが可能となる。
【００５１】
実施形態１に係る複写機１においては、原稿台１１０の下側に配設され、原稿台１１０に載置された原稿１０を撮影する撮像装置１８０をさらに備え、投写光学ユニット１７０から投写される画像光における原稿１０の画像情報は、撮像装置１８０によって撮影された画像であるため、原稿台に載置された原稿の向きやサイズ、原稿の配置位置などを確実に確認することが可能となる。また、原稿を確認するのに要する時間を短くすることが可能となるとともに、リアルタイムに原稿の位置調整等を行うことが可能となる。
【００５２】
実施形態１に係る複写機１においては、原稿台カバー１２０の開閉を検知する検知部１５０をさらに備え、制御部２００は、原稿台カバー１２０が開いたことを検知部１５０が検知したときにのみ、投写光学ユニット１７０から画像光が投写されるように投写光学ユニット１７０を制御する機能を有する。これにより、原稿台カバー１２０が開いたときにのみ、原稿台カバー１２０の裏面に画像光が投写される構成を実現することが可能となる。
【００５３】
実施形態１に係る複写機１においては、複写ガイド枠２０の位置、大きさ又は形状を変更する機能を備えた操作ボタン１６２を有する操作パネル１６０と、上記した複写ガイド枠処理部２８０とをさらに備えるため、わざわざ原稿１０の配置位置を再調整しなくても、ソフト的な操作によって原稿中の実際に複写したい領域と複写ガイド枠２０とを合わせることが可能となる。
【００５４】
［実施形態２］
図６は、実施形態２に係る複写機２の全体斜視図である。図６（ａ）は原稿台カバー１９０を開いたときの複写機２の全体斜視図であり、図６（ｂ）は原稿台カバー１９０を閉じたときの複写機２の全体斜視図である。
なお、図６において、図１と同一の部材については同一の符号を付し、詳細な説明は省略する。
【００５５】
実施形態２に係る複写機２は、基本的には実施形態１に係る複写機１とよく似た構成を有するが、原稿台カバーの構成が実施形態１に係る複写機１とは異なる。
【００５６】
すなわち、実施形態２に係る複写機２においては、図６に示すように、原稿台カバー１９０は、ＡＤＦを備えていない。また、原稿台カバー１９０の裏面には、投写光学ユニット１７０からの画像光を複写機２の使用者方向（手前方向）に向けて反射する反射面１９２が配設されている。
【００５７】
このように、実施形態２に係る複写機２は、実施形態１に係る複写機１とは原稿台カバーの構成が異なるが、実施形態１に係る複写機１の場合と同様に、原稿台カバー１９０を開いたときの原稿台カバー１９０の裏面に、原稿台１１０に載置された原稿１０の画像情報と複写ガイド枠２０とが投写されるため、複写前にこれら投写画像を一旦確認することが可能となる。その結果、複写用紙の向き及びサイズの設定ミスに起因する複写ミス並びに原稿１０の配置位置に起因する複写ミスを減らすことが可能となる。
【００５８】
また、実施形態２に係る複写機２においては、原稿台カバー１９０の裏面には、上記した反射面１９２が配設されているため、輝度が高くて鮮明な画像を投写表示することが可能となる。
【００５９】
実施形態２に係る複写機２は、原稿台カバーの構成以外の点では、実施形態１に係る複写機１と同様の構成を有するため、実施形態１に係る複写機１が有する効果のうち該当する効果をそのまま有する。
【００６０】
［実施形態３］
図７は、実施形態３に係る複写機３を説明するために示す図である。図７（ａ）は実施形態１に係る複写機１の場合の、原稿台１１０に載置される原稿１０と原稿台カバー１２０の裏面に投写される画像光との関係を示す図であり、図７（ｂ）は実施形態３に係る複写機３の場合の、原稿台１１０に載置される原稿１０と原稿台カバー１２０の裏面に投写される画像光との関係を示す図である。なお、図７（ａ）及び図７（ｂ）に示す原稿１０中には、発明の理解を容易にするためのアルファベットを記載している。
【００６１】
実施形態３に係る複写機３は、基本的には実施形態１に係る複写機１とよく似た構成を有するが、投写光学ユニットから投写される画像が画像処理されている点で、実施形態１に係る複写機１とは異なる。
【００６２】
すなわち、実施形態１に係る複写機１においては、図７（ａ）に示す原稿１０のアルファベットの向きから分かるように、実際の原稿１０の向きと原稿台カバー１２０の裏面に投写される画像光中の原稿１０の向きとが異なるのに対し、実施形態３に係る複写機３においては、図７（ｂ）に原稿１０のアルファベットの向きから分かるように、実際の変更１０の向きと原稿台カバー１２０の裏面に投写される画像光中の原稿１０の向きとが同じになっている。
【００６３】
実施形態３に係る複写機３においては、画像読取装置２７０における画像処理部２７６（ともに図示せず。）は、実際に原稿１０を見たときと同様の画像が原稿台カバー１２０の裏面に投写されるように、画像処理を行っている。
【００６４】
このように、実施形態３に係る複写機３は、実施形態１に係る複写機１とは投写光学ユニットから投写される画像が画像処理されている点で異なるが、実施形態１に係る複写機１の場合と同様に、原稿台カバー１２０を開いたときの原稿台カバー１２０の裏面に、原稿台１１０に載置された原稿１０の画像情報と複写ガイド枠２０とが投写されるため、複写前にこれら投写画像を一旦確認することが可能となる。その結果、複写用紙の向き及びサイズの設定ミスに起因する複写ミス並びに原稿１０の配置位置に起因する複写ミスを減らすことが可能となる。
【００６５】
また、実施形態３に係る複写機３においては、実際に原稿１０を見たときと同様の画像が原稿台カバー１２０の裏面に投写されるように画像処理を行っているため、原稿台１１０に原稿１０を載置した後の投写画像の確認作業が比較的容易となるという効果がある。
【００６６】
実施形態３に係る複写機３は、投写光学ユニットから投写される画像が画像処理されている点以外の点では、実施形態１に係る複写機１と同様の構成を有するため、実施形態１に係る複写機１が有する効果のうち該当する効果をそのまま有する。
【００６７】
以上、本発明の複写機を上記の各実施形態に基づいて説明したが、本発明は上記の各実施形態に限られるものではなく、その要旨を逸脱しない範囲において種々の態様において実施することが可能であり、例えば次のような変形も可能である。
【００６８】
上記各実施形態においては、撮像装置１８０によって撮影された画像を、投写光学ユニット１７０から投写される画像光における原稿の画像情報として用いる場合を例示して説明したが、本発明はこれに限定されるものではない。例えば、画像読取装置が、原稿台に載置された原稿をプレスキャンする機能を有し、画像読取装置によってプレスキャンされた画像を、投写光学ユニット１７０から投写される画像光における原稿の画像情報として用いてもよい。この場合は、撮像装置が不要となるため、複写機の製造コストを低減することができるという効果もある。
【００６９】
上記各実施形態においては、比較的低解像度（例えばＶＧＡ程度。）のカラー画像が投写される投写光学ユニットを用いたが、本発明はこれに限定されるものではなく、モノクロ画像が投写される投写光学ユニットを用いてもよいし、高解像度のカラー画像が投写される投写光学ユニットを用いてもよい。
【００７０】
上記各実施形態においては、原稿台１１０の奥側（原稿台１１０と開閉機構１４０との間のスペース）に配設された場合を例示して説明したが、本発明はこれに限定されるものではなく、例えば、原稿台１１０の手前側（原稿第１１０と操作パネル１６０との間のスペース）に配設されていてもよいし、原稿台１１０の右側又は左側に配設されていてもよい。
【００７１】
上記各実施形態においては、原稿台１１０に原稿を載置した後、撮影開始ボタンを押すことによって撮像装置１８０の撮影が開始される場合を例示して説明したが、本発明はこれに限定されるものではない。例えば、原稿台カバーが開いたことを検知部１５０が検知するのに応じて、自動的に撮像装置１８０の撮影が開始されるように構成してもよい。
【００７２】
上記各実施形態においては、検知部として、突起部１５２の突出状態の変化に基づいて原稿台カバー１２０の開閉を検知する検知部１５０を例示的に説明したが、本発明はこれに限定されるものではない。そのような機械式のセンサからなる検知部以外にも、光学式、磁気式、超音波式、電波式などのセンサからなる検知部も好適に用いることができる。また、突起部１５２の配設位置は、複写機本体１００側ではなく原稿台カバー１２０，１９０側であってもよいし、突起部１５２の数は複数であってもよい。
【図面の簡単な説明】
【００７３】
【図１】実施形態１に係る複写機１の全体斜視図。
【図２】投写光学ユニット１７０から画像光が投写される様子を示す斜視図。
【図３】複写機１の構成を説明するために示す図。
【図４】複写機１の構成を説明するために示す図。
【図５】実施形態１に係る複写機１を説明するために示す図。
【図６】実施形態２に係る複写機２の全体斜視図。
【図７】実施形態３に係る複写機３を説明するために示す図。
【符号の説明】
【００７４】
１，２，３…複写機、１０…原稿、２０…複写ガイド枠、１００…複写機本体、１１０…原稿台、１２０，１９０…原稿台カバー、１３０…ＡＤＦ、１３２…原稿供給口、１３４…原稿送り部材、１３６…原稿排出口、１３８…原稿受け、１４０…開閉機構、１５０…検知部、１５２…突起部、１６０…操作パネル、１６２…操作ボタン、１６４…表示部、１７０…投写光学ユニット、１７２…反射ミラー、１８０…撮像装置、１９２…反射面、２００…制御部、２１０…ＮＣＵ、２２０…ＭＯＤＥＭ、２３０…ＲＯＭ、２４０…ＲＡＭ、２５０…画像メモリ、２６０…ＣＯＤＥＣ、２７０…画像読取装置、２７２…光源、２７４…イメージセンサ、２７６…画像処理部、２８０…複写ガイド枠処理部、２９０…プリンタ、Ｂ…バス、Ｌ…公衆電話回線網
【図１】
2009169047.tif 000003
【図２】
2009169047.tif 000004
【図３】
2009169047.tif 000005
【図４】
2009169047.tif 000006
【図５】
2009169047.tif 000007
【図６】
2009169047.tif 000008
【図７】
2009169047.tif 000009